【手続補正書】
【提出日】平成19年8月1日(2007.8.1)
【手続補正１】
【補正対象書類名】明細書
【補正対象項目名】発明の名称
【補正方法】変更
【補正の内容】
【発明の名称】表示装置用パネルおよびその製造方法、カラーフィルタおよびその製造方法、カラーフィルタを備えた液晶表示パネルおよびその製造方法
【手続補正２】
【補正対象書類名】明細書
【補正対象項目名】特許請求の範囲
【補正方法】変更
【補正の内容】
【特許請求の範囲】
【請求項１】  仕切り部により囲まれる複数の凹部を有する基板の前記凹部内に、表示に用いられるための材料を材料付与ヘッドから付与して表示部を形成することにより表示装置用パネルを製造する方法であって、
表示に用いられる表示部を形成するための第１の凹部と、表示には用いられない非表示部を形成するための第２の凹部とを共に有する基板を用意する工程と、
前記基板上の前記第２の凹部に対し材料付与ヘッドから前記材料を付与した後に、前記基板上の前記第１の凹部に対し前記材料付与ヘッドから前記材料を付与することで前記表示部を形成する工程とを備え、
前記第１の凹部を囲む仕切り部の高さと前記第２の凹部を囲む仕切り部の高さとは略同じであり、
前記複数の凹部を囲む仕切り部の頂部により形成される面から前記第２の凹部の底面までの距離が、前記複数の凹部を囲む仕切り部の頂部により形成される面から前記第１の凹部の底面までの距離よりも短く、
前記第２の凹部の底面は遮光性を有することを特徴とする表示装置用パネルの製造方法。
【請求項２】  前記仕切り部は遮光性を有することを特徴とする請求項１に記載の表示装置用パネルの製造方法。
【請求項３】  前記第２の凹部の底面は前記仕切り部であり、前記第１の凹部の底面は前記基板であることを特徴とする請求項１または２に記載の表示装置用パネルの製造方法。
【請求項４】  前記仕切り部の頂部が前記材料をはじく性質を有することを特徴とする請求項１乃至３のいずれかに記載の表示装置用パネルの製造方法。
【請求項５】  前記基板上の第１および第２の凹部は、前記基板上に塗布された前記仕切り部の材料に対して露光を行うことにより形成されるものであり、
前記第１の凹部を形成するときの露光量と前記第２の凹部を形成するときの露光量とが異なることをすることを特徴とする請求項１乃至４のいずれかに記載の表示装置用パネルの製造方法。
【請求項６】  前記第２の凹部を形成するときの露光量が前記第１の凹部を形成するときの露光量よりも少ないことを特徴とする請求項５に記載の表示装置用パネルの製造方法。
【請求項７】  前記第２の凹部の形成後であって且つ前記第２の凹部に対する前記材料の付与前に、前記第２の凹部の底面の表面エネルギーを増加させる処理を行う工程をさらに備えることを特徴とする請求項１乃至６のいずれかに記載の表示装置用パネルの製造方法。
【請求項８】  単一の前記第１の凹部に対する前記材料の付与量と、単一の前記第２の凹部に対する前記材料の付与量とが異なることを特徴とする請求項１乃至７のいずれかに記載の表示装置用パネルの製造方法。
【請求項９】  前記材料はインクであり、
前記第１の凹部に形成される表示部は、前記インクにより形成される着色部であることを特徴とする請求項１乃至８のいずれかに記載の表示装置用パネルの製造方法。
【請求項１０】  前記表示装置用パネルはカラーフィルタであることを特徴とする請求項１乃至９のいずれかに記載の表示装置用パネルの製造方法。
【請求項１１】  前記材料はエレクトロルミネッセンス材料であり、
前記第１の凹部に形成される表示部は、前記エレクトロルミネッセンス材料により形成される発光層であることを特徴とする請求項１乃至８のいずれかに記載の表示装置用パネルの製造方法。
【請求項１２】  前記表示装置用パネルは、エレクトロルミネッセンス素子であることを特徴とする請求項１乃至８のいずれかに記載の表示装置用パネルの製造方法。
【請求項１３】  仕切り部により囲まれる複数の凹部を有する基板の前記凹部内に、表示に用いられるための材料が充填されてなる表示部を有する表示装置用パネルであって、
表示を行うために用いられ、前記基板上の第１の凹部に前記材料が充填されてなる表示部と、
表示には用いられず、前記基板上の第２の凹部に前記材料が充填されてなる非表示部とを備え、
前記第１の凹部を囲む仕切り部の高さと前記第２の凹部を囲む仕切り部の高さとは略同じであり、
前記複数の凹部を囲む仕切り部の頂部により形成される面から前記第２の凹部の底面までの距離が、前記複数の凹部を囲む仕切り部の頂部により形成される面から前記第１の凹部の底面までの距離よりも短く、
前記第２の凹部の底面は遮光性を有することを特徴とする表示装置用パネル。
【請求項１４】  仕切り部により囲まれる複数の凹部を有し、表示装置用パネルを構成するための基板であって、
表示を行うために用いられる第１の凹部と、
表示には用いらない第２の凹部とを備え、
前記第１の凹部を囲む仕切り部の高さと前記第２の凹部を囲む仕切り部の高さとは略同じであり、
前記複数の凹部を囲む仕切り部の頂部により形成される面から前記第２の凹部の底面までの距離が、前記複数の凹部を囲む仕切り部の頂部により形成される面から前記第１の凹部の底面までの距離よりも短く、
前記第２の凹部の底面は遮光性を有することを特徴とする基板。
【請求項１５】  仕切り部により囲まれる複数の凹部を有し、表示装置用パネルを構成するための基板を製造する方法であって、
前記基板上に前記仕切り部の材料を塗布する工程と、
前記塗布された仕切り部の材料をパターンニングして、表示を行うために用いられる第１の凹部と表示には用いらない第２の凹部とを形成する工程とを備え、
前記第１の凹部を囲む仕切り部の高さと前記第２の凹部を囲む仕切り部の高さとは略同じであり、
前記複数の凹部を囲む仕切り部の頂部により形成される面から前記第２の凹部の底面までの距離が、前記複数の凹部を囲む仕切り部の頂部により形成される面から前記第１の凹部の底面までの距離よりも短く、
前記第２の凹部の底面は遮光性を有することを特徴とする基板の製造方法。
【請求項１６】  遮光性を有する仕切り部により囲まれる複数の凹部を備えた基板の前記凹部内に、インクジェットヘッドからインクを付与して着色部を形成することによりカラーフィルタを製造する方法であって、
表示に用いられる着色部を形成するための第１の凹部と、表示には用いられない非表示部を形成するための第２の凹部とを共に有する基板を用意する工程と、
前記基板上の前記第２の凹部に対し前記インクジェットヘッドからインクを付与した後に、前記基板上の前記第１の凹部に対し前記インクジェットヘッドからインクを付与することで前記着色部を形成する工程とを備え、
前記第１の凹部を囲む仕切り部の高さと前記第２の凹部を囲む仕切り部の高さとは略同じであり、
前記複数の凹部を囲む仕切り部の頂部により形成される面から前記第２の凹部の底面までの距離が、前記複数の凹部を囲む仕切り部の頂部により形成される面から前記第１の凹部の底面までの距離よりも短く、
前記第２の凹部の底面が遮光性を有することを特徴とするカラーフィルタの製造方法。
【請求項１７】  光を遮光する性質を有する仕切り部により囲まれる複数の凹部を有する基板の前記凹部内に、表示に用いられるための材料が充填されてなる着色部を有するカラーフィルタであって、
表示を行うために用いられ、前記基板上の第１の凹部に前記インクが充填されてなる着色部と、
表示には用いられず、前記基板上の第２の凹部に前記インクが充填されてなる非表示部とを備え、
前記第１の凹部を囲む仕切り部の高さと前記第２の凹部を囲む仕切り部の高さとは略同じであり、
前記複数の凹部を囲む仕切り部の頂部により形成される面から前記第２の凹部の底面までの距離が、前記複数の凹部を囲む仕切り部の頂部により形成される面から前記第１の凹部の底面までの距離よりも短く、
前記第２の凹部の底面が遮光性を有することを特徴とするカラーフィルタ。
【請求項１８】  カラーフィルタを備えた液晶表示パネルの製造方法であって、
請求項１６に記載の製造方法により製造されるカラーフィルタあるいは請求項１７に記載のカラーフィルタを用意する工程と、
用意したカラーフィルタと対向基板との間に液晶化合物を充填する工程と、
を含むことを特徴とする液晶表示パネルの製造方法。
【請求項１９】  カラーフィルタを備えた液晶表示パネルであって、
請求項１７に記載のカラーフィルタと対向基板の間に液晶化合物が充填されてなることを特徴とする液晶表示パネル。